(57)【要約】      （修正有）【課題】ロック画面から操作時画面に切り替える際に、容易かつ迅速に操作対象物を判別できる、利便性の高い情報処理装置を実現する。【解決手段】情報処理装置は、操作時画面６０からロック画面６１に切り替わる際、切り替わる直前に、当該操作時画面６０における操作対象物を特定するための情報を、ロック画面６１に表示させる。【選択図】図２
2014021669.tif 000002
【特許請求の範囲】
【請求項１】
少なくとも操作対象物が表示可能な表示部と、
通常の操作を受け付ける表示画面を操作時画面、特定の操作以外を受け付けない表示画面をロック画面としたとき、上記表示部に上記操作時画面が表示された状態で、所定の操作が行われたあるいは一定時間操作が行われなかった場合に、当該操作時画面から上記ロック画面に切り替える表示制御手段と、
上記操作時画面に表示されている操作対象物を識別する操作対象物識別手段と、
上記ロック画面に切り替わる直前に識別された操作対象物を特定するための情報を記憶する記憶部とを備え、
上記表示制御手段は、
上記操作時画面からロック画面に切り替える際、上記記憶部に記憶された操作対象物を特定するための情報を上記ロック画面に表示させることを特徴とする情報処理装置。
【請求項２】
上記操作対象物はウィンドウであり、
上記操作対象物識別手段は、操作時画面に表示されているウィンドウから、操作対象のウィンドウを識別し、
上記記憶部は、上記操作対象物識別手段によって識別されたウィンドウを特定するための情報を記憶し、
上記表示制御手段は、
上記操作時画面からロック画面に切り替える際に、上記記憶部に記憶されたウィンドウを特定するための情報を上記ロック画面に表示させることを特徴とする請求項１に記載の情報処理装置。
【請求項３】
上記ウィンドウを特定するための情報は、ウィンドウの領域であり、
上記記憶部は、識別したウィンドウの領域を記憶し、
上記表示制御手段は、
上記操作時画面からロック画面に切り替える際に、上記記憶部に記憶されたウィンドウ領域を上記ロック画面に画像として表示させることを特徴とする請求項２に記載の情報処理装置。
【請求項４】
上記操作対象物はマウスカーソルであり、
上記操作対象物識別手段は、操作時画面に表示されているマウスカーソルを識別し、
上記記憶部は、上記操作対象物識別手段によって識別されたマウスカーソルを特定するための情報を記憶し、
上記表示制御手段は、
上記操作時画面からロック画面に切り替える際に、上記記憶部に記憶されたマウスカーソルを特定する情報を上記ロック画面に表示させることを特徴とする請求項１に記載の情報処理装置。
【請求項５】
上記マウスカーソルを特定するための情報は、マウスカーソルの位置座標であり、
上記記憶部は、識別したマウスカーソルの位置座標を記憶し、
上記表示制御手段は、
上記操作時画面からロック画面に切り替える際に、上記記憶部に記憶されたマウスカーソルの位置座標を上記ロック画面に画像として表示させることを特徴とする請求項４に記載の情報処理装置。
【請求項６】
上記画像はロック画面に表示されるマウスカーソルと異なる状態で表示される画像であることを特徴とする請求項５に記載の情報処理装置。
【請求項７】
コンピュータを、請求項１から６までのいずれか１項に記載の情報処理装置の各手段として機能させるための制御プログラム。
【請求項８】
請求項７に記載の制御プログラムを記録したコンピュータ読み取り可能な記録媒体。
【発明の詳細な説明】
【技術分野】
【０００１】
本発明は、操作位置を識別するための情報処理装置、制御プログラム、および、記録媒体に関するものである。
【背景技術】
【０００２】
コンピュータや携帯電話などの情報処理装置を操作中に、ユーザが、操作対象のウィンドウ、あるいはマウスカーソルの位置などを容易に識別できるようにすることは、上記情報処理装置の利便性の向上という観点からみても重要である。
【０００３】
例えば、特許文献１には、複数ウィンドウの同時表示が可能な表示装置において、操作対象のウィンドウを識別するため、上記操作対象のウィンドウの表示領域以外の輝度を、外周に向かって徐々に低下させる技術が開示されている。
【０００４】
他にも、Microsoft社のWindows（登録商標）のように、アプリケーションソフト名やメーカー名などが表示されるタイトルバーをウィンドウに設けて、タイトルバーの表示色を変化させることにより、操作対象のウィンドウの識別を容易にするといった技術もある。
【０００５】
ところで、上記情報処理装置は、一定時間ユーザが操作を行わなかった場合、あるいはユーザによって所定の操作が行われた場合に、通常の操作を受け付ける表示画面（以下、操作時画面と呼称する）とは異なる、特定の操作以外を受け付けない表示画面（以下、ロック画面と呼称する）を表示することが知られている。
【０００６】
一般的に、ユーザが上記情報処理装置の操作を中断する場合に、操作時画面からロック画面に表示画面を切り替えることが多い。よって、ユーザが操作を再開する、すなわちロック画面から操作時画面に切り替える際には、前回の操作時から時間が経過していることが多く、前回操作時の操作対象のウィンドウ、あるいはマウスカーソルの位置などを、ユーザ自身が記憶していない可能性が高い。
【０００７】
したがって、ロック画面から操作時画面に切り替えたときに、ユーザがすぐに、ロック前の操作時画面における操作対象のウィンドウ、あるいはマウスカーソルの位置を把握できず、操作開始までに時間を要するという問題が生じる。
【０００８】
そこで、特許文献２には、情報処理装置において、スタンバイ状態からの切り替え時に、速やかに操作を再開するため、操作時画面におけるマウスカーソルの表示形態を変化させる技術が開示されている。
【０００９】
また、特許文献１やMicrosoft社のWindowsのように、操作対象のウィンドウの識別を容易にすれば、ロック画面から操作時画面に切り替えたときに、ユーザがすぐに、ロック前の操作時画面における操作対象のウィンドウを特定することができる。
【先行技術文献】
【特許文献】
【００１０】
【特許文献１】特開２００１−３５０６１９号公報（２００１年１２月２１日公開）
【特許文献２】特開２００２−４１２０７号公報（２００２年２月８日公開）
【発明の概要】
【発明が解決しようとする課題】
【００１１】
しかしながら、上記のいずれの従来技術においても、ロック画面から操作時画面に切り替えない限り、操作対象のウィンドウ、あるいはマウスカーソルの位置を識別することができない。つまり、操作時画面に切り替えてから、操作を再開するまでにタイムラグが生じ、上記情報処理装置の利便性が損なわれるおそれがある。
【００１２】
本発明は、上記の課題に鑑みてなされたものであって、その目的は、ロック画面から操作時画面に切り替える際に、容易かつ迅速に操作対象物を判別できる、利便性の高い情報処理装置などを実現することにある。
【課題を解決するための手段】
【００１３】
本発明の情報処理装置は、上記課題を解決するために、少なくとも操作対象物が表示可能な表示部と、通常の操作を受け付ける表示画面を操作時画面、特定の操作以外を受け付けない表示画面をロック画面としたとき、上記表示部に上記操作時画面が表示された状態で、所定の操作が行われたあるいは一定時間操作が行われなかった場合に、当該操作時画面から上記ロック画面に切り替える表示制御手段と、上記操作時画面に表示されている操作対象物を識別する操作対象物識別手段と、上記ロック画面に切り替わる直前に識別された操作対象物を特定するための情報を記憶する記憶部とを備え、上記表示制御手段は、上記操作時画面からロック画面に切り替える際、上記記憶部に記憶された操作対象物を特定するための情報を上記ロック画面に表示させることを特徴としている。
【００１４】
上記構成によれば、情報処理装置は、表示部に操作対象物が表示された操作時画面を表示することができ、さらに、表示制御手段によって、当該操作時画面とロック画面とを切り替えることができる。さらに、操作対象物識別手段によって、上記操作時画面に表示されている操作対象物を識別することができ、識別された操作対象物を特定するための情報を記憶部に記憶することができる。
【００１５】
ここで、ユーザによって当該操作時画面から上記ロック画面への切り替え操作が行われたとする。この場合、表示制御手段は、当該操作時画面を、上記記憶部に記憶された操作対象物を特定するための情報を表示したロック画面に切り替える。
【００１６】
上述の通り、ユーザが操作時画面からロック画面への切り替えを行うと、当該操作時画面に表示されていた操作対象物を特定するための情報が、上記ロック画面に表示される。従来と異なり、ロック画面に操作対象物を特定するための情報が表示されているので、ユーザは、ロック画面から操作時画面へ切り替える前に、操作対象物を特定するための情報を得ることができる。
【００１７】
以上のことから、本発明の情報処理装置により、ユーザは、容易かつ迅速に操作対象物の位置などを判別することができるという効果を奏する。
【００１８】
また、操作時画面において、操作対象物を特定するための情報表示を必要としないため、情報処理装置の処理負荷を低減することができるという効果を奏する。
【００１９】
本発明の情報処理装置において、上記操作対象物はウィンドウであり、上記操作対象物識別手段は、操作時画面に表示されているウィンドウから、操作対象のウィンドウを識別し、上記記憶部は、上記操作対象物識別手段によって識別されたウィンドウを特定するための情報を記憶し、上記表示制御手段は、上記操作時画面からロック画面に切り替える際に、上記記憶部に記憶されたウィンドウを特定するための情報を上記ロック画面に表示させてもよい。
【００２０】
上記構成によれば、情報処理装置は、表示部にウィンドウが表示された操作時画面を表示することができる。さらに、操作対象物識別手段によって、上記操作時画面に表示されているウィンドウから、操作対象のウィンドウを識別することができ、識別されたウィンドウを特定するための情報を記憶部に記憶することができる。
【００２１】
ここで、ユーザによって当該操作時画面から上記ロック画面への切り替え操作が行われたとする。この場合、表示制御手段は、当該操作時画面を、上記記憶部に記憶されたウィンドウを特定するための情報を表示したロック画面に切り替える。
【００２２】
上述の通り、ユーザが操作時画面からロック画面への切り替えを行うと、当該操作時画面に表示されていたウィンドウのうち、操作対象のウィンドウを特定するための情報が、上記ロック画面に表示される。これにより、ユーザはロック画面から操作時画面へ切り替える前に、当該操作時画面に表示されていたウィンドウのうち、操作対象のウィンドウを特定するための情報を得ることができる。
【００２３】
以上のことから、本発明の情報処理装置により、ユーザは、容易かつ迅速に操作対象のウィンドウを判別することができるという効果を奏する。
【００２４】
本発明の情報処理装置において、上記ウィンドウを特定するための情報は、ウィンドウの領域であり、上記記憶部は、識別したウィンドウの領域を記憶し、上記表示制御手段は、上記操作時画面からロック画面に切り替える際に、上記記憶部に記憶されたウィンドウ領域を上記ロック画面に画像として表示させてもよい。
【００２５】
上記構成によれば、上記表示制御手段は、上記操作時画面からロック画面に切り替える際に、上記記憶部に記憶されたウィンドウ領域を上記ロック画面に画像として表示することができる。
【００２６】
操作対象のウィンドウの領域画像がロック画面に表示されるので、ユーザは、直感的に操作時画面における操作対象のウィンドウを判別することができる。
【００２７】
以上のことから、本発明の情報処理装置により、ユーザは、より容易に操作対象のウィンドウを判別できるという効果を奏する。
【００２８】
本発明の情報処理装置において、上記操作対象物はマウスカーソルであり、上記操作対象物識別手段は、操作時画面に表示されているマウスカーソルを識別し、上記記憶部は、上記操作対象物識別手段によって識別されたマウスカーソルを特定するための情報を記憶し、上記表示制御手段は、上記操作時画面からロック画面に切り替える際に、上記記憶部に記憶されたマウスカーソルを特定する情報を上記ロック画面に表示させてもよい。
【００２９】
上記構成によれば、情報処理装置は、表示部にマウスカーソルが表示された操作時画面を表示することができる。さらに、操作対象物識別手段によって、上記操作時画面に表示されているマウスカーソルを識別することができ、識別されたマウスカーソルを特定するための情報を記憶部に記憶することができる。
【００３０】
ここで、ユーザによって当該操作時画面から上記ロック画面への切り替え操作が行われたとする。この場合、表示制御手段は、当該操作時画面を、上記記憶部に記憶されたマウスカーソルを特定するための情報を表示したロック画面に切り替える。
【００３１】
上述の通り、ユーザが操作時画面からロック画面への切り替えを行うと、当該操作時画面に表示されていたマウスカーソルを特定するための情報が、上記ロック画面に表示される。これにより、ユーザはロック画面から操作時画面へ切り替える前に、当該操作時画面に表示されていたマウスカーソルを特定するための情報を得ることができる。
【００３２】
以上のことから、本発明の情報処理装置により、ユーザは、容易かつ迅速にマウスカーソルを特定するための情報を得ることができるという効果を奏する。
【００３３】
本発明の情報処理装置において、上記マウスカーソルを特定するための情報は、マウスカーソルの位置座標であり、上記記憶部は、識別したマウスカーソルの位置座標を記憶し、上記表示制御手段は、上記操作時画面からロック画面に切り替える際に、上記記憶部に記憶されたマウスカーソルの位置座標を上記ロック画面に画像として表示させてもよい。
【００３４】
上記構成によれば、上記表示制御手段は、上記操作時画面からロック画面に切り替える際に、上記記憶部に記憶されたマウスカーソルの位置座標を上記ロック画面に画像として表示することができる。
【００３５】
マウスカーソルの位置座標を示す画像がロック画面に表示されるので、ユーザは、直感的に操作時画面におけるマウスカーソルの位置を判別することができる。
【００３６】
以上のことから、本発明の情報処理装置により、ユーザは容易かつ迅速に操作時画面におけるマウスカーソルの位置を判別することができるという効果を奏する。
【００３７】
本発明の情報処理装置において、上記画像はロック画面に表示されるマウスカーソルと異なる状態で表示される画像であってもよい。
【００３８】
上記構成によれば、上記表示制御手段によって上記ロック画面に表示される、当該操作時画面におけるマウスカーソルの位置を示す画像は、ロック画面に表示されるマウスカーソルと異なる状態で描画される。
【００３９】
これにより、ユーザは、ロック画面に表示されるマウスカーソルと、ロック画面に表示される、当該操作時画面におけるマウスカーソルの位置を示す画像とを容易に識別することができる。
【００４０】
以上のことから、本発明の情報処理装置により、ユーザはより容易に操作時画面におけるマウスカーソルの位置を判別することができるという効果を奏する。
【００４１】
なお、上記情報処理装置は、コンピュータによって実現してもよく、この場合には、コンピュータを上記各手段として動作させることにより上記情報処理装置をコンピュータにて実現させる情報処理装置の制御プログラム、およびそれを記録したコンピュータ読み取り可能な記録媒体も、本発明の範疇に入る。
【発明の効果】
【００４２】
本発明の情報処理装置は、上記課題を解決するために、少なくとも操作対象物が表示可能な表示部と、通常の操作を受け付ける表示画面を操作時画面、特定の操作以外を受け付けない表示画面をロック画面としたとき、上記表示部に上記操作時画面が表示された状態で、所定の操作が行われたあるいは一定時間操作が行われなかった場合に、当該操作時画面から上記ロック画面に切り替える表示制御手段と、上記操作時画面に表示されている操作対象物を識別する操作対象物識別手段と、上記ロック画面に切り替わる直前に識別された操作対象物を特定するための情報を記憶する記憶部とを備え、上記表示制御手段は、上記操作時画面からロック画面に切り替える際、上記記憶部に記憶された操作対象物を特定するための情報を上記ロック画面に表示させることを特徴としている。
【００４３】
したがって、ロック画面から操作時画面に切り替える際に、容易かつ迅速に操作対象物を判別できる、利便性の高い情報処理装置を実現できるという効果を奏する。
【図面の簡単な説明】
【００４４】
【図１】本発明の実施形態におけるスマートフォンの要部構成を示すブロック図である。
【図２】スマートフォンの表示部に表示される画面の一具体例を示す図である。
【図３】スマートフォンが実行する処理の流れを示すフローチャートである。
【図４】スマートフォンが実行する処理の流れを示すフローチャートである。
【発明を実施するための形態】
【００４５】
本発明の実施の一形態について、図１〜図４に基づいて説明すれば以下の通りである。なお、本発明における情報処理装置として、ここでは、タッチパネルを搭載したスマートフォンについて説明する。しかしながら、本発明の情報処理装置は、上記スマートフォンに限られるものではなく、あらゆる情報処理装置に適用することが可能である。また、図面における長さ、大きさ、および幅などの寸法関係ならびに形状は、図面の明瞭化と簡略化のために適宜に変更されており、実際の寸法および形状を表してはいない。また、以降、操作対象のウィンドウを選択ウィンドウと呼称する。
【００４６】
〔スマートフォンの構成〕
図１は、本発明の実施形態におけるスマートフォン１の要部構成を示すブロック図である。
【００４７】
図１に示すように、本実施形態に係るスマートフォン１は、操作部２、制御部３、記憶部４、タイマ５、および、表示部６を含んでいる。さらに、スマートフォン１は、図示しないが、通信部、音声入力部、音声出力部、放送受像部、ＧＰＳなど、スマートフォンが標準的に備えている各種部品を備えているが、これら各種部品の説明は省略する。
【００４８】
操作部２は、ユーザがスマートフォン１に指示信号を入力する入力デバイスである。なお、本実施形態では、操作部２は、表示部６とともにタッチパネルとして構成されている。操作部２は、指示体（指またはペンなど）による入力を受け付ける入力面と、指示体による入力面への入力、およびその入力位置を検知するためのセンサとで構成されている。センサは、指示体による入力面への入力を検知できればどのようなセンサで実現されていてもよい。例えば、圧力センサ、静電容量センサ、光センサなどで実現される。具体的には、操作部２は、ユーザの入力操作によって生じた信号を、後述の操作受付部１１に供給する。
【００４９】
表示部６は、スマートフォン１が処理する情報を表示する表示デバイスである。例えば、表示部６には、後述する表示制御部１３によって処理された情報、具体的にはウィンドウなどが表示可能である。表示部６は、例えば、ＬＣＤ（液晶ディスプレイ）などの表示装置で構成される。なお、本実施形態では、操作部２および表示部６は、タッチパネルとして構成されているため、これらは一体となっている。
【００５０】
タイマ５は、後述する無操作時間判定部１４からの指示に基づいて、経過時間を測定するデバイスである。
【００５１】
制御部３は、スマートフォン１が備える各部を統括制御するものである。制御部３は、本発明の情報処理装置としてスマートフォン１を機能させるために、操作受付部１１、操作対象物識別部１２、表示制御部１３、および、無操作時間判定部１４を含む。
【００５２】
上述した制御部３の各機能ブロックは、例えば、ＣＰＵ（central processing unit）が、ＲＯＭ（read only memory）、ＮＶＲＡＭ（non-Volatile random access memory）等で実現された記憶装置（記憶部４）に記憶されているプログラムを不図示のＲＡＭ（random access memory）等に読み出して実行することで実現できる。
【００５３】
操作受付部１１は、操作部２が検出したユーザの入力操作に係る信号に基づいて、入力操作の有無、および、入力位置の座標情報を、制御部３の各部に供給する。操作受付部１１は、入力位置の座標情報を時系列で保持することができる。そして、一定期間に亘って連続で入力された入力操作（ドラッグ操作、フリック操作、ピンチイン／ピンチアウト操作、長押し操作）の軌跡の座標情報を各部に供給してもよい。
【００５４】
表示制御部１３は、ユーザからの特定の操作、および後述する無操作時間判定部１４からの指示に基づいて、表示部６に表示された画面を、操作時画面からロック画面へ切り替える。また、表示部６に表示された画面を、操作時画面からロック画面に切り替える際に、操作対象物を特定するための情報をロック画面に表示する。ここで、操作対象物とは、選択ウィンドウ、および、マウスカーソルである。また、操作対象物を特定するための情報とは、後述する選択ウィンドウ特定情報、および、マウスカーソルの位置座標である。操作対象物を特定するための情報表示の詳細については後述する。
【００５５】
無操作時間判定部１４は、ユーザによってスマートフォン１が操作された場合、タイマ５を用いて、次にユーザによってスマートフォン１が操作されるまでの時間（以下、無操作時間と呼称する）を測定する。ここで、表示部６に操作時画面が表示されており、且つ無操作時間が、所定の値を超えた場合、すなわち、ユーザによって一定時間操作が行われなかった場合、無操作時間判定部１４は、表示制御部１３にロック画面への切り替え指示を送る。なお、無操作時間判定部１４は、ロック画面への切り替え指示とともに、表示制御部１３に表示部６の消灯指示を送ってもよい。
【００５６】
操作対象物識別部１２は、選択ウィンドウ識別部２１、および、マウスカーソル位置識別部２２を含む。選択ウィンドウ識別部２１は、ユーザ操作によって、選択ウィンドウ情報が変更された場合、選択ウィンドウ情報を識別する。そして、後述する選択ウィンドウ記憶部３１に、選択ウィンドウ特定情報を書き込む。ここで、選択ウィンドウ情報とは、選択ウィンドウ、選択ウィンドウのサイズ、および選択ウィンドウの位置である。また、選択ウィンドウ特定情報とは、選択ウィンドウの領域である。上記選択ウィンドウの領域は、例えば、選択ウィンドウの端点の座標や、選択ウィンドウのサイズなどで決定される。
【００５７】
マウスカーソル位置識別部２２は、マウスカーソルの位置が変更された場合、マウスカーソルの位置座標を識別する。そして、識別したマウスカーソルの位置座標を、後述するマウスカーソル位置記憶部３２に書き込む。
【００５８】
記憶部４は、（１）スマートフォン１の制御部３が実行する制御プログラム、（２）制御部３が実行するＯＳプログラム、（３）制御部３が、情報処理装置が有する各種機能を実行するためのアプリケーションプログラム、および、（４）該アプリケーションプログラムを実行するときに読み出す各種データを非一時的に記憶するものである。例えば、上記の（１）〜（４）のデータは、ＲＯＭ（read only memory）、フラッシュメモリ、ＥＰＲＯＭ（Erasable Programmable ROM）、ＥＥＰＲＯＭ（登録商標）（Electrically EPROM）、ＨＤＤ（Hard Disc Drive）などの記憶装置に記憶される。
【００５９】
具体的には、記憶部４は、選択ウィンドウ記憶部３１と、マウスカーソル位置記憶部３２とを含む。選択ウィンドウ記憶部３１は、選択ウィンドウ特定情報を一時的に記憶する。マウスカーソル位置記憶部３２は、マウスカーソルの位置座標を一時的に記憶する。
【００６０】
スマートフォン１は、図示しない一時記憶部を備えていてもよい。一時記憶部は、スマートフォン１が実行する各種処理の過程で、演算に使用するデータおよび演算結果等を一時的に記憶するいわゆるワーキングメモリであり、ＲＡＭ（Random Access Memory）などの記憶装置で構成される。
【００６１】
どのデータをどの記憶装置に記憶するのかについては、スマートフォン１の使用目的、利便性、コスト、物理的な制約などから適宜決定される。
【００６２】
なお、操作対象物識別部１２と、操作対象物識別部１２に含まれる選択ウィンドウ識別部２１、およびマウスカーソル位置識別部２２は、特許請求の範囲に記載の操作対象物識別手段に相当し、表示制御部１３は、特許請求の範囲に記載の表示制御手段に相当する。
【００６３】
〔選択ウィンドウ領域の表示処理〕
次に、スマートフォン１が実行する操作対象物を特定するための情報の表示処理のうち、選択ウィンドウ領域の表示処理の流れについて、図２および図３を参照して説明する。図２は、スマートフォン１の表示部６に表示される画面の一具体例およびその流れを示す図である。図３は、スマートフォン１が実行する処理の流れを示すフローチャートである。なお、図３では、選択ウィンドウが図２（ａ）におけるウィンドウ４２である、すなわち、選択ウィンドウ記憶部３１に、ウィンドウ４２を特定するための情報が記憶されている状態からの処理を示している。この状態は、図２（ａ）の前段階である。
【００６４】
まず、選択ウィンドウ識別部２１は、選択ウィンドウ情報が変更されたか否か識別する（Ｓ１００）。そして、選択ウィンドウ情報、すなわち、選択ウィンドウ、選択ウィンドウのサイズ、および選択ウィンドウの位置のうち少なくとも１つが変更されたと識別した場合（Ｓ１００でＹＥＳ）、新しい選択ウィンドウ情報を記憶する（Ｓ１０２）。具体的には、新しい選択ウィンドウ情報における選択ウィンドウ特定情報を、選択ウィンドウ記憶部３１に書き込む。また、表示制御部１３は、識別した選択ウィンドウ情報の変更に基づいて、表示部６に表示される画像を変更する。例えば、操作時画面６０において、選択ウィンドウがウィンドウ４２から、図２（ａ）に示すような、ウィンドウ４１に変更される。
【００６５】
次に、操作部２が、ユーザによる操作時画面６０からロック画面６１への切り替え操作を検出した場合（Ｓ１０４でＹＥＳ）、表示制御部１３は、選択ウィンドウ記憶部３１から選択ウィンドウ特定情報を読み出す（Ｓ１０８）。続いて、表示制御部１３は、読み出した選択ウィンドウ特定情報に基づいて、選択ウィンドウの領域画像５０を作成する。上記領域画像５０は、選択ウィンドウのサイズを有し、選択ウィンドウの位置に表示される画像である。なお、ユーザが容易に識別できるように、ロック画面６１の背景色と異なる色とすることが好ましい。
【００６６】
続いて、表示部６に、上記領域画像を有するロック画面を表示する（Ｓ１１０）。具体的には、図２（ｂ）に示すように、表示部６において、選択ウィンドウ、すなわち、ウィンドウ４１の領域画像５０が表示されている、ロック画面６１が表示される。上記領域画像５０は、ユーザが容易に選択ウィンドウを識別できるように、ロック画面６１の背景色と異なる色で描画されている。なお、領域画像５０は、ユーザが容易に選択ウィンドウを識別できるようなものであればよい。例えば、領域画像５０をロック画面６１の背景色と同じ色で描画し、領域画像５０を点滅させてもよい。また、領域画像５０の輝度とロック画面６１の背景画像の輝度とを変更することで区別してもよい。
【００６７】
また、ロック画面６１に、選択ウィンドウを示す領域画像５０の他に、選択ウィンドウ以外のウィンドウを示す領域画像を領域画像５０と区別して表示してもよい。例えば、領域画像５０は図２（ｂ）のように塗りつぶされた画像で表示し、選択ウィンドウ以外のウィンドウを示す領域画像は、ウィンドウの外縁のみを表示してもよい。また、全ての領域画像を外縁のみの表示とし、選択ウィンドウを示す領域画像５０のみ、色を変える、点滅させる、輝度を変えるなどの強調表示を行ってもよい。これにより、表示画面全体のウィンドウの配置を容易に識別することができる。また、全て外縁のみの表示にすることにより、ウィンドウの一部が重なっていても、それぞれのウィンドウのサイズなどを容易に識別することができる。
【００６８】
一方、操作部２が、ユーザによる操作時画面からロック画面への切り替え操作を検出しなかった場合（Ｓ１０４でＮＯ）において、無操作時間判定部１４が、無操作時間が所定の値を超えたか否か判断する（Ｓ１０６）。タイマ５を用いて測定していた無操作時間が、所定の値を超えた場合（Ｓ１０６でＹＥＳ）、表示制御部１３は、上記の選択ウィンドウ特定情報の読み出し処理（Ｓ１０８）、および領域画像５０の作成処理を行う。そして、表示部６に、上記領域画像５０を有するロック画面６１を表示する（Ｓ１１０）。
【００６９】
最後に、操作部２が、ユーザによるロック画面６１から操作時画面６０への切り替え操作を検出すると、図２（ｃ）に示すように、再び操作時画面６０を表示する（Ｓ１１２）。
【００７０】
〔マウスカーソル位置の表示処理〕
次に、スマートフォン１が実行する操作対象物を特定するための情報の表示処理のうち、マウスカーソル位置の表示処理の流れについて、図２および図４を参照して説明する。図４は、スマートフォン１が実行する処理の流れを示すフローチャートである。なお、図４では、マウスカーソルが図２（ａ）におけるウィンドウ４１上に位置している、すなわち、マウスカーソル位置記憶部３２に、上記ウィンドウ４１上のマウスカーソルの位置座標が記憶されている状態からの処理を示している。この状態は、図２（ａ）の前段階である。また、マウスカーソル位置の表示処理は、上述したウィンドウ領域の表示処理と並行して行われる処理である。しかしながら、本発明の情報処理装置は、上記ウィンドウ領域の表示処理、あるいはマウスカーソル位置の表示処理のどちらか一方のみを実行できるものであってもよい。
【００７１】
まず、マウスカーソル位置識別部２２は、マウスカーソルの位置座標が変更されたか否か識別する（Ｓ２００）。そして、マウスカーソルの位置座標が変更されたと識別した場合（Ｓ２００でＹＥＳ）、新しいマウスカーソルの位置座標を記憶する（Ｓ２０２）。具体的には、新しいマウスカーソルの位置座標を、マウスカーソル位置記憶部３２に書き込む。また、表示制御部１３は、識別したマウスカーソルの位置座標の変更に基づいて、表示部６に表示される画像を変更する。例えば、操作時画面６０において、マウスカーソル４３の位置がウィンドウ４１上から、図２（ａ）に示すような、ウィンドウ４２上に変更される。
【００７２】
次に、操作部２が、ユーザによる操作時画面６０からロック画面６１への切り替え操作を検出した場合（Ｓ２０４）、表示制御部１３は、マウスカーソル位置記憶部３２からマウスカーソルの位置座標を読み出す（Ｓ２０８）。続いて、表示制御部１３は、読み出したマウスカーソルの位置座標に基づいて、マウスカーソル画像５３を作成する。上記マウスカーソル画像５３は、ロック画面６１に切り替わる直前の操作時画面６０における、マウスカーソル位置を示す画像である。なお、ロック画面６１上でもマウスカーソルが操作できる場合、ロック画面６１上で操作されるマウスカーソル４３と、操作時画面上でのマウスカーソル位置を示すマウスカーソル画像５３とを区別する必要がある。よって、上記マウスカーソル画像５３は、上記ロック画面６１上で操作されるマウスカーソル４３と、異なる色や矢印の向きなどを有することで、ユーザが、上記ロック画面６１上で操作されるマウスカーソル４３と、上記マウスカーソル画像５３とを容易に識別できるようにすることが好ましい。
【００７３】
続いて、表示部６に、上記マウスカーソル画像５３を有するロック画面６１を表示する（Ｓ２１０）。具体的には、図２（ｂ）に示すように、表示部６に、マウスカーソル画像５３が描画されたロック画面６１が表示される。上記マウスカーソル画像５３は、ロック画面で操作されるマウスカーソル４３と区別するために、上記マウスカーソル４３と異なる色を有し、矢印の先端部が右下を向いている画像となっている。なお、マウスカーソル画像５３は、ロック画面６１で操作されるマウスカーソル４３と区別でき、ユーザが容易に識別できるものであればよい。例えば、マウスカーソル画像５３をロック画面６１の背景色と同じ色で描画し、マウスカーソル画像５３を点滅させてもよい。また、マウスカーソル画像５３の輝度とロック画面６１の輝度とを変更することで区別してもよい。
【００７４】
一方、操作部２が、ユーザによる操作時画面からロック画面への切り替え操作を検出しなかった場合（Ｓ２０４でＮＯ）において、無操作時間判定部１４が、無操作時間が所定の値を超えたか否か判断する（Ｓ２０６）。タイマ５を用いて測定していた無操作時間が、所定の値を超えた場合（Ｓ２０６でＹＥＳ）、表示制御部１３は、上記のマウスカーソル座標の読み出し処理（Ｓ２０８）、およびマウスカーソル画像５３の作成処理を行う。そして、表示部６に、上記マウスカーソル画像５３を有するロック画面６１を表示する（Ｓ２１０）。
【００７５】
最後に、操作部２が、ユーザによるロック画面６１から操作時画面６０への切り替え操作を検出すると、図２（ｃ）に示すように、再び操作時画面６０を表示する（Ｓ２１２）。
【００７６】
以上より、スマートフォン１は、操作時画面６０における選択ウィンドウに対応する領域画像５０、および、操作時画面６０におけるマウスカーソルの位置に対応するマウスカーソル画像５３をロック画面６１に表示する。これにより、ユーザはロック画面を操作時画面に切り替える前に、選択ウィンドウやマウスカーソルの位置の情報を得ることができる。よって、ユーザは操作時画面に切り替えた際に、迅速に操作を行うことができる。
【００７７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００７８】
〔ソフトウェアによる実現例〕
最後に、スマートフォン（情報処理装置）１の各ブロック、特に、表示制御部１３、無操作時間判定部１４、選択ウィンドウ識別部２１、および、マウスカーソル位置識別部２２は、集積回路（ＩＣチップ）上に形成された論理回路によってハードウェア的に実現してもよいし、ＣＰＵ（Central Processing Unit）を用いてソフトウェア的に実現してもよい。
【００７９】
後者の場合、スマートフォン１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるスマートフォン１の制御プログラムのプログラムコード（実行形式プログラム、中間コードプログラム、ソースプログラム）をコンピュータで読み取り可能に記録した記録媒体を、上記スマートフォン１に供給し、そのコンピュータ（またはＣＰＵやＭＰＵ）が記録媒体に記録されているプログラムコードを読み出し実行することによっても、達成可能である。
【００８０】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【００８１】
また、スマートフォン１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００８２】
本発明は、表示部にウィンドウやマウスカーソルなどの操作対象物を表示することができ、操作時画面とロック画面とを切り替えることができる情報処理装置に好適である。
【符号の説明】
【００８３】
１  スマートフォン（情報処理装置）
３  制御部
４  記憶部
６  表示部
１２  操作対象物識別部（操作対象識別手段）
１３  表示制御部（表示制御手段）
２１  選択ウィンドウ識別部（操作対象識別手段）
２２  マウスカーソル位置識別部（操作対象識別手段）
３１  選択ウィンドウ記憶部（記憶部）
３２  マウスカーソル位置記憶部（記憶部）
４１  ウィンドウ（操作対象のウィンドウ）
４２  ウィンドウ
４３  マウスカーソル
５０  領域画像（ウィンドウの領域）
５３  マウスカーソル画像
６０  操作時画面
６１  ロック画面
【図１】
2014021669.tif 000003
【図２】
2014021669.tif 000004
【図３】
2014021669.tif 000005
【図４】
2014021669.tif 000006